(57)【要約】  【課題】  記入を継続しやすく、予算管理が容易で、支出の詳細も容易に把握可能な家計簿を提供する  【解決手段】  家計簿１０をシート状とする。シート１１には、幅が５〜９ｃｍのレシート貼付欄１２を並列及び／又は縦列するように配置し、各レシート貼付欄１２の上方には、その幅がレシート貼付欄１２と略同一の費目欄１３及び予算欄１４を、上下に配置する。家計簿１０は、壁等に貼ったり、吊したりして使用する。【選択図】  図１
2005329671.tif 000002
【特許請求の範囲】
【請求項１】
一のシート上に、幅が５〜９ｃｍのレシート貼付欄が並列及び／又は縦列するように配置され、各レシート貼付欄の上方に、その幅がレシート貼付欄と略同一の費目欄及び予算欄が上下に配置されていることを特徴とする家計簿。
【請求項２】
シート上に、上記レシート貼付欄が横に６〜１１列、縦に２〜４段設けられていることを特徴とする請求項１に記載の家計簿。
【請求項３】
少なくとも縦に３１段配列された日付欄を備える特別予算欄と、該特別予算欄の下方に上下に配置されたその他予算欄及び収支記載欄とから成る構成単位が１２単位並列配置された一のシートと、前記日付欄に適合する大きさの日付を順次表したテープとから成り、該テープを前記日付欄に貼着して年間のカレンダーが構成される年間収支表とともに用いられることを特徴とする請求項１又は２に記載の家計簿。
【発明の詳細な説明】
【技術分野】
【０００１】
本発明は、家計簿に関する。
【背景技術】
【０００２】
従来の家計簿はノート状であって、例えば、見開き２ページが一ヶ月分とされ、ここに食費や医療費等の費目を記載するための欄や、各費目に対応する支出額等を記載する金額欄等が設けられている。同様の形式の家計簿をパソコンを用いて作成する場合もある。
【０００３】
しかし、買い物等の度に収支をノートに記入したり、パソコンに入力する作業は煩わしい。このため、家計簿の記入を毎日続けることができず、最終的に記入を止めてしまう家庭が多く存在する。一方、記入の負担を軽くするために、例えば支出の累計額のみを記載する場合は、支出の詳細を把握することが困難であって、後に家計の検討を行うことが難しい。
【０００４】
このような問題を解決する家計簿として、買い物の際に店から渡されるレシートを利用するものがある（特許文献１）。この家計簿はノート状であって、ノートには、予算、支出の合計額、収支差引額等を記入する欄、及びレシート入れが設けられている。通常は支出の合計額を記入する欄に累計支出額を記載するのみであって、支出の詳細について確認する際は、レシート入れに収納されたレシートを参照する。この家計簿では、一つ一つの品目に対応する支出をいちいち記入する手間が省かれるため、従来の家計簿に比べて比較的容易に継続することができる。
【０００５】
しかし、特許文献１の家計簿でも、記入の際にわざわざノートを収納場所から取り出して来なければならないという手間は変わらない。このため、記入を継続できない家庭が少なからず存在する。
【０００６】
【特許文献１】特開2002-86961号公報
【発明の開示】
【発明が解決しようとする課題】
【０００７】
本発明が解決しようとする課題は、記入を継続しやすく、予算管理が容易で、支出の詳細も把握可能であって、一覧可能な家計簿を提供することである。
【課題を解決するための手段】
【０００８】
上記課題を解決するために成された本発明に係る家計簿は、一のシート上に、幅が５〜９ｃｍのレシート貼付欄が並列及び／又は縦列するように配置され、各レシート貼付欄の上方に、その幅がレシート貼付欄と略同一の費目欄及び予算欄が上下に配置されていることを特徴とする。
【０００９】
本発明に係る家計簿は、シート状であって、一のシートには、二以上のレシート貼付欄が並列及び／又は縦列するように配置されている。
【００１０】
レシート貼付欄は、店で発行されたレシートをそのまま貼付できるように、その幅は５〜９ｃｍの範囲で適宜設定される。また、各レシート貼付欄の長さは、１週間、１ヶ月等の家計簿を締める単位日数（以下、「単位日数」とする）分のレシートをこの欄に次々貼っていけるように、単位日数及び費目の種類（食費や医療費等）に応じて適宜設定される。
【００１１】
費目欄及び予算欄は、各レシート貼付欄の上方に上下に配置される。これにより、各レシート貼付欄の費目やその予算を容易に確認できる。
レシート貼付欄、費目欄及び予算欄の数は、必要とされる費目の数に応じて適宜設定される。もちろん、一の費目に対して、複数のレシート貼付欄等を設けてもよい。また、必要に応じて、収入欄やその他の項目を別個に設けてもよい。
【００１２】
上記家計簿を用いれば、日常的な家計管理を容易に行うことができるが、例えば冠婚葬祭費等の非日常にかかる特別支出（収入）の予定も併せて管理できるようにすれば、予算調整や家計全体の把握を容易に行えるようになる。このため、上記家計簿は、以下のような年間収支表とともに用いるのが望ましい。
年間収支表は、一のシートとテープとから成る。シートには、日付欄を備える特別予算欄と、該特別予算欄の下方に上下に配置されたその他予算欄及び収支記載欄とから成る構成単位が１２単位並列配置されている。これにより、年間の収支を各月毎に容易に把握できるようになる。一構成単位においては、日付欄及び特別予算欄は少なくとも縦に３１段配列されている。これにより、１ヶ月分の特別予算を日付別に記載することが可能になる。
【００１３】
テープには、前記日付欄に適合する大きさの日付が順次表され、該テープを適宜裁断し、前記日付欄に貼着することにより年間のカレンダーが構成される。使用者の家計の締め日に合わせてカレンダーが構成できるようにするために、テープは、例えば１２月初め〜翌々年の１月末までというように、１年分以上の日付を表したものとするのが望ましい。また、カレンダーの固定を容易に行えるようにするために、カレンダー又は日付欄に接着テープ等の固定手段を設けておくとよい。
【発明の効果】
【００１４】
本発明に係る家計簿はシート状であるため、壁等に固定して使用することができる。従って、従来の家計簿のように、記入の際にわざわざノートを収納場所から取り出す手間を省くことができる。また、家計簿を目につく場所に固定することにより、家計簿への記入を継続して行いやすくなる。
また、本発明に係る家計簿は、幅が５〜９ｃｍのレシート貼付欄を有しており、レシートを利用して家計管理を行える。このため、一つ一つの品目について支出を記入せずとも、支出の詳細を容易に把握することできる。
更に、本発明に係る家計簿によれば、単位日数分の収支を一覧することが可能であるため、家計管理を容易に行うことができる。
また、年間収支表と併せて使用することにより、全体的な家計管理を容易に行えるようになる。
【発明を実施するための最良の形態】
【００１５】
（実施例１）
以下に、本発明の一実施例を図１を用いて説明する。
本実施例の家計簿１０は、一枚のシート１１から成る。シート１１には、長さ×幅が１５．５ｃｍ×６ｃｍ、９ｃｍ×６ｃｍ及び７ｃｍ×６ｃｍの３種類の大きさのレシート貼付欄１２が順に縦に配列し、更にこれらが横に９列配列している。
各レシート貼付欄１２の上方には、長さ×幅がそれぞれ１．５ｃｍ×６ｃｍの費目欄１３及び予算欄１４が上下して配置されている。
【００１６】
なお、シート１１の大きさや、レシート貼付欄１２（費目欄１３，予算欄１４）の大きさ及びその数は、単位日数や費目の種類等に応じて適宜設定すればよい。本実施例の家計簿１０では、シート１１の大きさ等は、一般的に必要とされる費目数や、家計管理が通常１ヶ月単位で行われること等を考慮して設定したものであって、家計管理を１ヶ月単位で行う場合は、Ａ２又はＢ２サイズのシート上に、レシート貼付欄１２を横に６〜１１列、縦に２〜４段設けるのが好ましい。家計管理を１週間単位で行う場合は、レシート貼付欄１２の大きさをより小さくすることができるため、シート１１の大きさも小さくすることができる。
【００１７】
シート１１は、腰のある厚紙１５に固定されている。厚紙の他に、プラスチック板、コルクボードのような腰のある板状素材上に固定してもよい。家計簿１０を使用する際は、厚紙１５に接着テープや磁石、押しピン等の固定手段を取り付け、この固定手段により家計簿１０を壁等に固定する。特に固定手段を設けず、机上に載置するようにしてもよい。なお、シート１１を厚紙１５に固定せず、押しピンやテープ等の固定手段を用いて直接壁等に固定することも可能であることはいうまでもない。
【００１８】
家計簿１０の記入の際は、まず、食費や医療費等の必要な費目を費目欄１３に記載し、各費目の予算を予算欄１４に記入する。その後、支出（収入）がある度に、該当する費目に対応するレシート貼付欄１２にレシート１６を次々重ねて貼っていく。その費目における累計支出額は、最新のレシート１５の余白に順次記入していってもよいし、家計簿１０に更に支出合計金額欄を設け、そこに記入していってもよい。レシート１６上に累計支出額を記入する際は、レシート１６をずらしながら貼っていくと、累計支出額を確認しやすい。なお、レシートのない支出や収入については、家計簿１０の所定の欄に直接記入を行うか、付箋等に金額の記入を行い、これを所定の欄に貼っていくとよい。
【００１９】
家計の締め日には、単位日数分の収支を計算した後、家計簿１０を新しいものに交換する。これにより、後日その家計簿１０を用いて家計の検討を容易に行うことができる。なお、剥離可能な（強力に接着しない）タイプの接着剤等を用いてレシートを固定すれば、同じシートの家計簿１０を繰り返し使用することも可能である。この場合は、締め日に収支を計算した後、レシートや収支結果を他の場所に移し替える。
【００２０】
（実施例２）
以下に、本発明に係る家計簿と併せて使用される年間収支表の一実施例を図２を用いて説明する。
本実施例の年間収支表２０は、シート２１と、テープ２２とから成る。シート２１は厚紙２７上に固定されている。シート２１には、縦に３１段配列された日付欄２３を備える特別予算欄２４と、この下方に上下に配置されたその他予算欄２５と収支記載欄２６とから成る構成単位が、１２単位（１２ヶ月分）並列配置されている。なお、特別予算欄２４は、３１段以上設けてもよい。また、必要に応じて、備考欄等のその他の項目を適宜設けてもよい。
【００２１】
テープ２２には、前記日付欄に適合する大きさの日付が１２月初めから翌々年の１月末まで順次表されている。また、テープ２２の裏面には接着剤が塗布され、接着面は保護紙（図示せず）で覆われている。
【００２２】
使用の際は、接着テープや磁石、押しピン等の固定手段を用いて、年間収支表２０を壁等に固定する。この際、本発明に係る家計簿（例えば家計簿１０）と並べて固定するのが望ましい。これにより、全体的な家計管理を容易に行えるようになる。
また、家計の締め日にあわせてテープ２２を裁断し、保護紙をはがして日付欄２３に貼着する。これにより、年間のカレンダーを構成する。
【００２３】
年間収支の記入の際は、誕生日や冠婚葬祭等の特別支出（収入）が予定されている行事やその予算等を、該当する日付の特別予算欄２４に記載する。保険、税金等の収支日が予め決まっていない予定については、その他予算欄２５に記載することができる。年間及び各月別収支予定については、特別予算欄２４やその他予算欄２５に記載された収支予定に基づき、支出合計額等の収支を収支記載欄２６に記載することにより計算することができる。
【００２４】
なお、一般的な支出費目をシールにすると、これを特別予算欄２４に適宜貼着していくことにより、いちいち個別の支出費目を記載する手間を省くことができる。また、支出費目の種類を区別する複数色のシールを用いると、各支出費目の種類を容易に確認できるようになる。
【００２５】
以上のように、年間収支表２０を用いて１年間で予定される支出や収入を管理することにより、家計簿１０では管理が行いにくい特別支出について、漏れなく管理することが可能となる。また、年間収支全体を容易に把握することが可能となり、年間予算の検討を容易に行うことができる。
【図面の簡単な説明】
【００２６】
【図１】本発明に係る家計簿の一実施例の概略構成図。
【図２】図１の家計簿と併せて使用される年間収支表の概略構成図。
【符号の説明】
【００２７】
１０…家計簿
１１，２１…シート
１２…レシート貼付欄
１３…費目欄
１４…予算欄
１５，２７…厚紙
１６…レシート
２０…年間収支表
２２…テープ
２３…日付欄
２４…特別予算欄
２５…その他予算欄
２６…収支記載欄
【図１】
2005329671.tif 000003
【図２】
2005329671.tif 000004